(57)【要約】      （修正有）【課題】表示機器の側面にメディア挿入口を設けた場合でも、ユーザが側面を覗き込み、ディスク挿入口の奥行方向、さらには長手方向の位置を確認する必要がないディスクガイド板及びその機構を備えた電子機器を提供する。【解決手段】ユーザが（イ）の方向から液晶パネル１０７がある正面に対峙すると、メディア挿入口１０２の後方にガイド板１０１が設置されている。この時、メディア挿入口の長手方向１０３の後方の辺は、ガイド板の前面１０８と同一平面上にある。このようにメディア挿入口の後方にガイド板が設置されることで、ユーザがメディアを前方から持ってきた時、メディアがガイド板に当たることで適切な奥行方向の位置を知らせる。【選択図】図１
2011076648.tif 000002
【特許請求の範囲】
【請求項１】
メディア挿入口にメディアを挿入するためのガイドを行う、少なくとも１枚のガイド板を有するガイド板機構であって、
前記ガイド板は表示機器側面の前記メディア挿入口近傍に配置されており、
前記ガイド板の平面上または平面の延長上に、前記メディア挿入口の一辺或いはメディアの一辺が重なる、
ことを特徴とするガイド板機構。
【請求項２】
メディア挿入口にメディアを挿入するためのガイドを行う、少なくとも１枚のガイド板を有するガイド板機構であって、
該ガイド板機構は、ガイド板収納部と、ガイド板と、ガイドプレートと、連結板と、ガイド板を出し入れするための駆動部を備え、
前記ガイド板と前記連結板を連結する第一の連結部と、
前記連結板と前記ガイドプレートを連結する第二の連結部とで構成され、
前記第一の連結部は、ガイド板が前記ガイド板収納部から突出すると、ガイド板が前方から後方に動く力が加わり、前記第二の連結部は、連結板が前記ガイド板収納部から突出すると、前記連結板が後方から前方に動く力が加わることを特徴とする請求項１記載のガイド板機構。
【請求項３】
メディア挿入口にメディアを挿入するためのガイドを行う、少なくとも１枚のガイド板を有するガイド板機構であって、
該ガイド板機構は、ガイド板収納部と、ガイド板と、ガイドプレートと、連結板と、ガイド板を出し入れするための駆動部を備え、
前記ガイド板と前記連結板を連結する第一の連結部と、
前記連結板と前記ガイドプレートを連結する第二の連結部とで構成され、
前記第一の連結部は、ガイド板が前記ガイド板収納部から突出すると、ガイド板が後方から前方に動く力が加わり、前記第二の連結部は、連結板が前記ガイド板収納部から突出すると、前記連結板が前方から後方に動く力が加わることを特徴とする請求項１記載のガイド板機構。
【請求項４】
前記ガイド板はメディア挿入口の少なくとも一部を覆う形で収納されることを特徴とする請求項１から請求項３に記載のガイド板機構。
【請求項５】
請求項１から請求項４に記載のガイド板機構をもつ、電子機器。
【発明の詳細な説明】
【技術分野】
【０００１】
本発明は、スロットインドライブへのメディア挿入時に、奥行方向などの挿入位置をユーザにガイドするためのガイド板機構及びそのガイド板機構をもつ電子機器に関する。
【背景技術】
【０００２】
非特許文献１は、テレビ表示機器とＤＶＤディスクドライブ機構を一体化させた製品である。表示機器の正面、つまりユーザが対峙する面側に設けられたメディア挿入口に、ユーザがビデオテープやディスクを挿入すると、表示機器の前面に対して垂直な方向（奥行方向）にビデオテープやディスクが入っていく。しかし、近年のディスプレイ表示の薄型化により、薄型ディスプレイでは、表示機器の奥行き方向に沿ってメディアを挿入させると、ディスプレイ本体の奥行長がメディアの奥行長に足りなくなることがある。
【０００３】
そこで、非特許文献２や非特許文献３のように、機器の側面にディスク挿入口を設ける仕様のものが登場した。メディア挿入口の短手方向とディスプレイの奥行方向を同じ方向にすると、薄型表示機器であってもドライブ機構との一体型が可能になった。
【０００４】
ただ、このようにメディア挿入口がユーザが機器の正面に対峙した時に見えない仕様では、ユーザがＤＶＤディスクなどのメディアを挿入する際、機器の側面を覗き込み、挿入口を確認してから、確認した挿入口にメディアを挿入していることになる。ユーザが慣れないうちは特に、側面にあるメディア挿入口を覗き込んで確認する、動作を行っている。この時、ユーザは主にメディア挿入口の長手方向の位置だけでなく奥行方向の位置も確認する。
【０００５】
また、ディスクメディアにおいては、特許文献１に記載されている技術のように、多少ユーザのメディア挿入位置がずれていたとしても、ある程度の長手方向の位置ズレであれば、ローラーを用いて修正し、本来の位置に誘導することもできる。
【先行技術文献】
【特許文献】
【０００６】
【非特許文献１】ＳＨＡＲＰ  カラーテレビ  ＶＴ−２５ＤＶ７０  取扱説明書、ＳＨＡＲＰ株式会社、Ｐ５０
【非特許文献２】ＳＨＡＲＰ  ＡＱＵＯＳ  ＤＸ１シリーズ  取扱説明書、ＳＨＡＲＰ株式会社、２００８年、Ｐ２９
【非特許文献３】ＦＵＪＩＴＳＵ  ＦＭＶ  ＤＥＳＫＰＯＷＥＲ／ＴＥＯ  Ｆシリーズ  製品カタログ、富士通株式会社、２００９年、Ｐ３
【特許文献１】特開昭５８−９８８７０号公報
【発明の概要】
【発明が解決しようとする課題】
【０００７】
表示機器をユーザが通常の状態で使用する場合であって、ユーザが対峙する表示機器の面（以下、「正面」とする。）にユーザが対峙した時に視界に入らず、正面とは別の側面等に、スロットインタイプのメディア挿入口が設けられている場合、ユーザがメディアをメディア挿入口に挿入しようとすれば、メディア挿入口の位置を確認するために、メディア挿入口がある面を覗き込むなど、ユーザが頭や体を移動させる必要がある。または、機器本体を回転させ、メディア挿入口を見やすくするなどの面倒な行動をユーザが行わなければならない。
【０００８】
特許文献１の様にローラーなどを用いてメディア挿入口の長手方向のガイドを行う方法は存在するが、あくまでもメディア挿入口がユーザから見える位置にある場合を想定しており、ユーザに対して奥行方向のガイドは依然として行っていない。
【０００９】
また、メディア挿入口の奥行方向をガイドする為のパーツを機器筐体内のドライブユニットに沿って収納する機構の場合、そのメディアドライブユニットには厚みがある為、メディア挿入口とは奥行方向がずれた位置からガイド板が突出することになり、単純に機器筐体内に収納したガイドを出すだけでは、ディスク挿入口への奥行方向のガイドは不正確なものとなってしまうといった課題を有している。
そこで、本発明はかかる課題を解決する為になされたものであり、表示機器の側面にメディア挿入口を設けた場合でも、ユーザが側面を覗き込み、ディスク挿入口の奥行方向、さらには長手方向の位置を確認する必要がないディスクガイド板及びその機構を備えた電子機器を提供することを目的とする。
【課題を解決するための手段】
【００１０】
本発明の実施するためのガイド板機構は、メディア挿入口にメディアを挿入するためのガイドを行う、少なくとも一枚のガイド板を有するガイド板機構であって、前記ガイド板は表示機器側面の近傍に配置されており、前記ガイド板の平面上または平面の延長上に、前記メディア挿入口の一辺或いはメディアの一辺が重なる、ことを特徴とするガイド板機構である。
【００１１】
更なる発明では、前記本発明の機構はメディア挿入口の後方に位置する前記ガイド板機構であって、該ガイド板機構は、ガイド板収納部と、ガイド板と、ガイドプレートと、連結板と、ガイド板を出し入れするための駆動部を備え、前記ガイド板と前記連結板を連結する第一の連結部と、前記連結板と前記ガイドプレートを連結する第二の連結部とで構成され、前記第一の連結部は、ガイド板が前記ガイド板収納部から突出すると、ガイド板が前方から後方に動く力が加わり、前記第二の連結部は、連結板が前記ガイド板収納部から突出すると、前記連結板が後方から前方に動く力が加わる、ことを特徴とするガイド板機構である。
【００１２】
更なる発明では、前記本発明の機構はメディア挿入口の前方に位置する前記ガイド板機構であって、該ガイド板機構は、ガイド板収納部と、ガイド板と、ガイドプレートと、連結板と、ガイドを出し入れするための駆動部を備え、前記ガイド板と前記連結板を連結する第一の連結部と、前記連結板と前記ガイドプレートを連結する第二の連結部とで構成され、前記第一の連結部は、ガイド板が前記ガイド板収納部から突出すると、ガイド板が後方から前方に動く力が加わり、前記第二の連結部は、連結板が前記ガイド板収納部から突出すると、前記連結板が前方から後方に動く力が加わる、ことを特徴とするガイド板機構である。
【００１３】
更なる発明では、前記ガイド板は、メディア挿入口の少なくとも一部を覆う形で収納される機構になっているものである。
【００１４】
また、更なる発明では、上記のガイド板機構をもつ電子機器でもある。
【発明の効果】
【００１５】
本発明に係るガイド板機構により、機器の正面に対峙したユーザから見えない、機器側面にメディア挿入口を設けた場合でも、ユーザが頭や体を移動させて側面を覗き込んだり、機器本体を動かしたりする事無く、メディア挿入口の奥行方向の位置のガイドが正確に行えるという顕著な効果を有する。
【００１６】
また、更なる発明では、必要時以外はドライブを取り付けた機器の筐体内に収納し、同様にメディア挿入口の奥行方向の位置のガイドが正確に行えるようなガイド板機構を提供する。これにより、ガイド板が機器から突出するのはガイド板が必要な時だけであり、不要時にはガイド板を機器の筐体内に収納しておけるため、更にデザイン性が確保できるといった効果を有する。
【００１７】
また、本発明によるガイド板機構は、見えてしまう部分の大きさをドライブの大きさよりも小さくすることができ、ドライブを直接出したものよりも目立ちにくいといった更なる効果も有する。
【図面の簡単な説明】
【００１８】
【図１】メディア挿入口の一辺にガイド板を設けた時の実施形態の例を図示したもの
【図２】メディア挿入口の一辺に曲面を持つガイド板を設けた時の実施形態の例を図示したもの
【図３（ａ）】図１で示したガイド板を、メディア挿入口の前方、後方、下方の三箇所に設置した場合の実施形態の例を図示したもの
【図３（ｂ）】図１で示したガイド板を、メディア挿入口の前方、後方、下方の三箇所に設置した場合の実施形態の例を図示したもの
【図４】ガイド板の長手方向が挿入するメディアの長手方向よりも小さく、更にメディアの上部と下部がガイド面に接さないような仕様の実施形態の例を図示したもの
【図５（ａ）】ガイド板が機器筐体内に収納される場合の機構の実施形態の例を図示したもの
【図５（ｂ）】ガイド板が機器筐体内に収納される場合の機構の実施形態の例を図示したもの
【図６（ａ）】ネジリコイルバネを用いて連結部を制御する時の機構の実施形態の例を図示したもの
【図６（ｂ）】ネジリコイルバネを用いて連結部を制御する時の機構の実施形態の例を図示したもの
【図７（ａ）】ガイド板がメディア挿入口に蓋をするように収納される場合の実施形態の例を図示したもの
【図７（ｂ）】ガイド板がメディア挿入口に蓋をするように収納される場合の実施形態の例を図示したもの
【発明を実施するための形態】
【００１９】
本発明では「正面」とは、ユーザが通常対峙する、機器の面を指し、例えば液晶テレビであれば、液晶パネルの面が機器の正面とする。「側面」とは、機器の正面に対して平行でない面、表示機器の左右両サイド側面、上下両サイドの面をさす。
【００２０】
位置関係、方向関係を示す用語は、次の通りである。「長手方向」は、機器の正面と側面の交差線の方向であり、「奥行方向」とは、機器の正面に対して垂直な方向である。「前方」とは、機器の正面に対峙したユーザから見て手前の方向である。「後方」とは、機器の正面に対峙したユーザから見て奥の方向である。
【００２１】
そこで、本発明の実施形態を、図１から図７を用いて説明する。尚、メディアの図例としてディスクメディアが記載されている図もあるが、先述のようにディスクのみならずｉＶＤＲなど他のメディアでも適用でき、さらに本発明が適用されるメディアの種類は問わないことはいうまでもない。
【００２２】
図１は、メディア挿入口（１０２）の一辺にガイド板（１０１）を設けた時の実施形態１を図示したものである。ユーザが（イ）の方向から液晶パネル（１０７）がある正面に対峙すると、メディア挿入口（１０２）の後方にガイド板（１０１）が設置されたている。この時、メディア挿入口の長手方向（１０３）の後方の辺は、ガイド板の前面（１０８）と同一平面上にある。
【００２３】
このようにメディア挿入口の後方にガイド板が設置される設計の場合、ユーザがメディアを前方から持ってきた時、メディアがガイド板に当たることで適切な奥行方向の位置を知らせる事ができるため、例えば暗闇などでも簡単にガイドできるといった効果を有する。
【００２４】
また、ガイド板の長手方向の長さとメディア挿入口の長手方向の長さを同じにしたり、ユーザから見えるようにガイド板に印（図１の１０６に例示）を付けたりしておくことも本発明には有効であり、この様な仕様の場合、正面に対峙したユーザに対して、メディア挿入口の長手方向の位置を同時に示す事が出来る効果がある。
【００２５】
また、挿入するメディアがディスクメディアの様に裏面全体が記録面になっているメディアを用いる場合、その記録面とガイド板が広く接することのないように、メディアを挿入する向きやガイド板を小さくすることで、記録面に傷が付くリスクが軽減する、といった更なる効果を有する。
【００２６】
尚、メディア挿入口の前方にガイド板が設置される場合もある。この時、メディア挿入口の長手方向の前方の辺と、ガイド板の後面が同一平面上となる。
【００２７】
図２は、メディア挿入口の一辺に曲面を持つガイド板（２０１）を設けた時の実施形態２を図示したものである。また、実施形態２では、ユーザは液晶パネル（２０７）がある正面に対峙する（イ）の方向から機器を見ることになり、ガイド板はメディア挿入口（２０２）の後方に設置されている。メディア挿入口の長手方向（２０３）の辺が、ガイド板の前面の平面の一部（２０８）と同一平面上にある場合を示しており、実施形態２では、斜線部分の面（２０８）で、メディアの挿入をガイドする。ガイド板の最も前方に位置する平面（２０８）の同一平面上に、メディア挿入口（２０２）の長手方向の後方の辺がある。
【００２８】
尚、メディア挿入口の前方にガイド板が設置される場合もある。この時、ガイド板の最も後方に位置する平面の同一平面上に、メディア挿入口の長手方向の前方の辺がある。
【００２９】
本実施形態のように、メディアの挿入を直接ガイドする平面部分がメディア挿入口と直接接していない場合、メディアをスライドさせてメディア挿入口に移動させた時、埃などを引きずってメディア装着部に入ってしまう事を防ぐといった更なる効果を有する。
【００３０】
図３（ａ）および図３（ｂ）は、図１で例示したガイド板を、メディア挿入口の前方（３０９）、後方（３０９）、下方（３１０）の三箇所に設置した場合の実施形態３を図示したものである。
【００３１】
ここで図示された通り、前方、後方、下方の３つのガイド板全てが同様に揃っている必要はないが、このように多方面からガイドすることで、ユーザがメディアをメディア挿入口（３０２）まで移動させることがより楽になるといった効果がある。
【００３２】
図４は、ガイド板の長手方向（４０３）が、挿入するメディアの長手方向（４０３）よりも小さく、更にメディアの上部と下部がガイド面に接さないような仕様の実施形態４を図示したものである。この時、ユーザは、挿入するメディアの上部と下部で挟み込む（あるいはつまむ）様にしてメディアを持つことができる。そのため、安定した持ち方ができるといった効果だけでなく、メディアを持つ事で指が奥行方向に飛び出る部分にガイド板が無いので、指がガイド板に当たりガイドを邪魔することがない、といった更なる効果も有する。
【００３３】
また、挿入メディアがディスクメディアであった場合、次の様な効果もある。円盤型のディスクドライブの中心の穴は、チャッキングの際重要な役割を担っており、割れたりすると使用できなくなるため、円盤の端と端を持つ持ち方が最も良いとされる。しかし円盤の大きさや持ち易さから、ユーザは穴に指が触れた状態で使用してしまう場合もある。そこで、図４のようにガイド板の形状を工夫すると、チャッキングを行うために重要な中心の穴に触れない様、ユーザがディスクの端を持つ様に誘導できるという、更なる効果を有する。
【００３４】
図４では図２で示したガイド板を機器筐体内に収納する機構も表しているが、その機構については、メディア挿入口の長手方向の中心線（４１１）の断面図（図５（ａ）および図５（ｂ））を基に詳述する。
【００３５】
図５（ａ）および図５（ｂ）は、ガイド板が機器筐体内に充填（収納）される機構の実施形態５を図示したものである。  図５（ａ）から図５（ｂ）へのガイド板の動き図で示すように、ガイド板駆動ギア（５１８）とラック（５１７）の動きに連動して、ガイド板出入口からガイド板（５０１）、連結板（５１２）、ガイドプレート（５１３）、が順に機器筐体内から出てくる。
【００３６】
このとき、ユーザが（イ）の方向から表示機器に対峙する面が正面であるとすると、図５（ａ）および図５（ｂ）はガイド機構がメディア挿入口（５０２）よりも後方に位置していることを示す。ガイド機構の動きとしては、ガイド板（５０１）が機器筐体内から出没した後、ガイド板（５０１）に対して後方に力が加わるように第一の連結部（５１４）を支点としてガイド板が曲がる。また、連結板（５１２）が機器筐体内から出没した後、連結板に対して前方に力が加わるように第二の連結部（５１５）を支点として連結板が曲がる。第一の連結部と第二の連結部が曲がることによって、ガイド板の位置が前方に移動し、メディア挿入口への奥行方向のガイドができるガイド板が設定される。
【００３７】
また、ユーザが（ロ）の方向から表示機器に対峙する面が正面であるとすると、図５（ａ）および図５（ｂ）はガイド機構がメディア挿入口（５０２）よりも前方に位置していることを示す。この時、ガイド機構はガイド板が機器筐体内から出没した後、ガイド板に対して前方に力が加わるように第一の連結部を支点としてガイド板が曲がる。また、連結板が機器筐体内から出没した後、連結板に対して後方に力が加わるように第二の連結部を支点として連結板が曲がる。第一の連結部と第二の連結部を支点として、ガイド板及び連結板が曲がることによって、ガイド板の位置が後方に移動し、メディア挿入口への奥行方向のガイドができるガイド板が設置される。
【００３８】
図６（ａ）および図６（ｂ）は、実施形態５において、ネジリコイルバネを用いて連結部を制御する時の連結部の機構の実施形態６を図示したものである。実施形態６のように、第一の連結部（６１４）および第二の連結部（６１５）の動きの制御は、ネジリコイルバネ（６２３、６２６）等を用いバネの弾性力を利用して曲がるように制御することもでき、また、機械的に制御することもできる。
【００３９】
図７（ａ）および図７（ｂ）は、ガイド板（７０１、７０９、７１０）がメディア挿入口（７０２）に蓋をするように収納される場合の実施形態７を図示したものである。図７では奥行方向の一辺（７２８）を支点としているが、長手方向の一辺を支点としてもよい。メディア挿入口に蓋をするようにガイド板が収納される場合、メディア挿入口が隠れ外観がよく、又メディアドライブ内に埃が入りにくいといった効果がある。
【００４０】
以上、図１から図７の図面を基に、具体的な実施形態について説明を行ったが、本発明はそれらの実施形態にのみ限定されるものではない。上述した実施形態にそれぞれ開示された技術的手段を適宜組み合わせて得られる実施形態についても本発明の技術的範囲に含まれる。
【産業上の利用可能性】
【００４１】
本発明に係るメディア挿入ガイド板機構は、各種メディアが挿入される挿入口を有する電子機器全般に広く適用することができる。
【符号の説明】
【００４２】
１０１、２０１、３０１、４０１、５０１、６０１、７０１  ガイド板
１０２、２０２、３０２、５０２、７０２  メディア挿入口
１０３、２０３、３０３、４０３、７０３  （メディア挿入口の）長手方向
１０４、２０４、３０４、７０４  （メディア挿入口の）奥行方向
１０５、２０５、３０５、７０５  ガイド板を付加する機器の側面
１０６  ガイド線の一例
１０７、２０７  液晶パネルなど、正面側に配置される部品の一例
１０８、２０８、３０８  メディアに接し、メディアを直接メディア挿入口までガイドする面の例
３０９、７０９  前方或いは後方のガイド板
３１０、７１０  下方のガイド板
４１１  メディア挿入口長手方向の中心線
４１２、５１２、６１２  連結板
４１３、５１３、６１３  ガイドプレート
５１４、６１４  第一の連結部
５１５、６１５  第二の連結部
５１６  ガイド板収納部
５１７  ラック
５１８  ガイド板駆動ギア
５１９  ドライブ
５２０  ガイド板出入口
５２１  ガイド板機構
６２２  第一の連結軸
６２３  第一のネジリコイルバネ
６２４  第一のストッパーピン
６２５  第二の連結軸
６２６  第二のネジリコイルバネ
６２７  第二のストッパーピン
７２８  ヒンジ支点（支点の例）
【図１】
2011076648.tif 000003
【図２】
2011076648.tif 000004
【図３（ａ）】
2011076648.tif 000005
【図３（ｂ）】
2011076648.tif 000006
【図４】
2011076648.tif 000007
【図５（ａ）】
2011076648.tif 000008
【図５（ｂ）】
2011076648.tif 000009
【図６（ａ）】
2011076648.tif 000010
【図６（ｂ）】
2011076648.tif 000011
【図７（ａ）】
2011076648.tif 000012
【図７（ｂ）】
2011076648.tif 000013